(57)【要約】【課題】  周囲の明るさが変化した場合であっても画面を見ているユーザに与える違和感を抑制できる光環境制御システム等を提供する。【解決手段】  所定の空間内に存在する照明器具１と、少なくとも発光部２１、３１を有する電子機器２１、３１と、空間内にユーザの観察対象である電子機器２が存在するか否かを検出する機器検出部１３と、電子機器２が存在することが検出された場合に、照明器具１に従って電子機器２を制御する従属関係を設定する機器設定部１４と、従属関係が設定された場合に、照明器具１を制御する照明制御情報を従属関係が設定された電子機器２に送信し、照明制御情報に基づいて電子機器２における発光部２１の発光を制御する発光制御部２１とを備える。【選択図】      図２
2015198077.tif 000002
【特許請求の範囲】
【請求項１】
所定の空間内に存在する照明器具と、
少なくとも発光部を有する電子機器と、
前記空間内にユーザの観察対象である前記電子機器が存在するか否かを検出する機器検出手段と、
前記機器検出手段により前記電子機器が存在することが検出された場合に、前記照明器具に従って前記電子機器を制御する従属関係を設定する従属設定手段と、
前記従属設定手段により従属関係が設定された場合に、前記照明器具を制御する照明制御情報を前記従属関係が設定された前記電子機器に送信し、前記照明制御情報に基づいて前記電子機器における発光部の発光を制御する制御手段と
を備える光環境制御システム。
【請求項２】
前記照明器具に前記照明制御情報を提供する照明制御情報提供手段を有し、
前記照明器具は前記照明制御情報提供手段から提供された照明制御情報を前記従属関係が設定された前記電子機器に送信し、
前記電子機器は前記照明器具から送信された前記照明制御情報に基づいて前記発光部の発光を制御する
請求項１に記載の光環境制御システム。
【請求項３】
前記照明制御情報提供手段は有線又は無線ネットワークを介して前記照明制御情報を送信し、前記照明器具は有線又は無線ネットワークを介して前記照明制御情報を受信する、請求項２に記載の光環境制御システム。
【請求項４】
前記機器検出手段は前記照明器具に設けられる、請求項１乃至請求項３の何れか一項に記載の光環境制御システム。
【請求項５】
前記機器検出手段は前記電子機器に設けられる、請求項１乃至請求項３の何れか一項に記載の光環境制御システム。
【請求項６】
前記所定の空間が複数存在し、
ユーザが保持した電子機器が任意の空間から他の空間に移動した場合に、
前記機器検出手段が、前記他の空間に電子機器が移動したことを検出し、
前記従属設定手段が、移動した電子機器と前記他の空間に存在する照明器具との従属関係を設定する、
請求項１乃至請求項３の何れか一項に記載の光環境制御システム。
【請求項７】
コンピュータを、
所定の空間内にユーザの観察対象であり、少なくとも発光部を有する電子機器が存在するか否かを検出する機器検出手段、
前記機器検出手段により前記電子機器が存在することが検出された場合に、前記所定の空間内に存在する照明器具に従って前記電子機器を制御する従属関係を設定する従属設定手段、
前記従属設定手段により従属関係が設定された場合に、前記照明器具を制御する照明制御情報を前記従属関係が設定された前記電子機器に送信し、前記照明制御情報に基づいて前記電子機器における発光部の発光を制御する制御手段、
として機能させる、光環境制御用のプログラム。
【発明の詳細な説明】
【技術分野】
【０００１】
本発明は、ユーザが存在する空間における光を制御する光環境制御システム、プログラムに関する。
【背景技術】
【０００２】
周囲の明るさに応じて画面の明るさを調整する技術としては、下記の特許文献１が知られている。
【０００３】
この特許文献１には、消費電力を低減させるために省電力モードに遷移する携帯電話端末装置が記載されている。この携帯電話端末装置は、内蔵した電池から供給される電力により動作することが前提となっている。
【０００４】
この携帯電話端末装置は、周辺照度を検出する照度センサを備える。また、この携帯電話端末装置は、放置監視用時限としてあらかじめ定めた一定時間、及び、携帯電話端末装置の使用中状態を示す照度としてあらかじめ定めた一定照度を設定している。
【０００５】
このような携帯電話端末装置は、照度センサにより検出された周辺照度が、一定照度以下であった場合、省電力モードに遷移する。この省電力モードは、表示部等の消費電力が大きい部位を休止状態に移行させ、動作状態の部位を必要最小限に設定する。
【先行技術文献】
【特許文献】
【０００６】
【特許文献１】特開２０１１−８７０５８号公報
【発明の概要】
【発明が解決しようとする課題】
【０００７】
特許文献１といった表示部の状態を制御するものと関連する技術として、テレビやスマートフォン等は、画面の明るさを自動で調整する明るさ調整機能があるものがある。この明るさ調整機能は、部屋全体の明るさが変化すると画面の明るさを自動的に調整するものである。
【０００８】
この明るさ調整機能によれば、部屋全体の明るさが明るくなると画面の明るさを高くする。一方、明るさ調整機能によれば、部屋全体の明るさが暗くなると画面の明るさを低くする。
【０００９】
しかしながら、ユーザが画面を見ているときに部屋全体の明るさが変化した後、少し遅れて明るさ調整機能によって画面が暗くなる。このとき、ユーザに違和感を与えてしまい、快適感を損なう問題がある。
【００１０】
具体的には、部屋全体が明るく変化した場合には、明るさ調整機能によって画面の明るさが高くなるまでの期間において画面が暗く感じさせてしまい見にくくなってしまう。一方、部屋全体が暗く変化した場合には、明るさ調整機能によって画面の明るさが低くなるまでの期間において画面が明るくてまぶしさを与えてしまう。
【００１１】
そこで、本発明は、上述した実情に鑑みて提案されたものであり、周囲の明るさが変化した場合であっても画面を見ているユーザに与える違和感を抑制できる光環境制御システム、プログラムを提供することを目的とする。
【課題を解決するための手段】
【００１２】
本発明の第１の態様に係る光環境制御システムは、所定の空間内に存在する照明器具と、少なくとも発光部を有する電子機器と、前記空間内にユーザの観察対象である前記電子機器が存在するか否かを検出する機器検出手段と、前記機器検出手段により前記電子機器が存在することが検出された場合に、前記照明器具に従って前記電子機器を制御する従属関係を設定する従属設定手段と、前記従属設定手段により従属関係が設定された場合に、前記照明器具を制御する照明制御情報を前記従属関係が設定された前記電子機器に送信し、前記照明制御情報に基づいて前記電子機器における発光部の発光を制御する制御手段とを備える。
【００１３】
本発明の第２の態様に係る光環境制御システムは、第１の態様の光環境制御システムであって、前記照明器具に前記照明制御情報を提供する照明制御情報提供手段を有し、前記照明器具は前記照明制御情報提供手段から提供された照明制御情報を前記従属関係が設定された前記電子機器に送信し、前記電子機器は前記照明器具から送信された前記照明制御情報に基づいて前記発光部の発光を制御する。
【００１４】
本発明の第３の態様に係る光環境制御システムは、第２の態様の光環境制御システムであって、前記照明制御情報提供手段は有線又は無線ネットワークを介して前記照明制御情報を送信し、前記照明器具は有線又は無線ネットワークを介して前記照明制御情報を受信する。
【００１５】
本発明の第４の態様に係る光環境制御システムは、第１乃至第３の何れかの態様の光環境制御システムであって、前記機器検出手段は前記照明器具に設けられる。
【００１６】
本発明の第５の態様に係る光環境制御システムは、第１乃至第３の何れかの態様の光環境制御システムであって、前記機器検出手段は前記電子機器に設けられる。
【００１７】
本発明の第６の態様に係る光環境制御システムは、第１乃至第３の何れかの態様の光環境制御システムであって、前記所定の空間が複数存在し、ユーザが保持した電子機器が任意の空間から他の空間に移動した場合に、前記機器検出手段が、前記他の空間に電子機器が移動したことを検出し、前記従属設定手段が、移動した電子機器と前記他の空間に存在する照明器具との従属関係を設定する。
【００１８】
本発明の第７の態様に係る光環境制御用のプログラムは、コンピュータを、所定の空間内にユーザの観察対象であり、少なくとも発光部を有する電子機器が存在するか否かを検出する機器検出手段、前記機器検出手段により前記電子機器が存在することが検出された場合に、前記所定の空間内に存在する照明器具に従って前記電子機器を制御する従属関係を設定する従属設定手段、前記従属設定手段により従属関係が設定された場合に、前記照明器具を制御する照明制御情報を前記従属関係が設定された前記電子機器に送信し、前記照明制御情報に基づいて前記電子機器における発光部の発光を制御する制御手段、として機能させる。
【発明の効果】
【００１９】
本発明によれば、周囲の明るさが変化した場合であっても画面を見ているユーザに与える違和感を抑制できる。
【図面の簡単な説明】
【００２０】
【図１】本発明の実施形態として示す光環境制御システムの構成を示す概略図である。
【図２】本発明の実施形態として示す光環境制御システムにおける機能的な構成を示すブロック図である。
【図３】本発明の実施形態として示す光環境制御システムにおける動作を示すフローチャートである。
【図４】本発明の実施形態として示す光環境制御システムにおいて、（ａ）は照明制御前における制御状態を示し、（ｂ）は照明制御後における制御状態を示す。
【図５】本発明の実施形態として示す光環境制御システムにおける照明器具と電子機器の動作を示すシーケンス図である。
【図６】本発明の実施形態として示す光環境制御システムにおける時間変化を示す図であり、（ａ）は照明制御情報に含まれる調光命令、（ｂ）は照明器具の調光値、（ｃ）は電子機器の発光値である。
【図７】本発明の実施形態として示す光環境制御システムにおける他の時間変化を示す図であり、（ａ）は照明制御情報に含まれる調光命令、（ｂ）は照明器具の調光値、（ｃ）は電子機器の発光値である。
【図８】本発明の実施形態として示す他の光環境制御システムにおける機能的な構成を示すブロック図である。
【図９】本発明の実施形態として示す他の光環境制御システムにおいて、（ａ）は照明制御前における制御状態を示し、（ｂ）は照明制御後における制御状態を示す。
【図１０】本発明の実施形態として示す光環境制御システムにおける情報提供部と照明器具と電子機器の動作を示すシーケンス図である。
【図１１】本発明の実施形態として示す光環境制御システムにおける時間変化を示す図であり、（ａ）は照明制御情報、（ｂ）は照明制御情報に含まれる調光命令、（ｃ）は照明器具の調光値、（ｄ）は電子機器の発光値である。
【図１２】本発明の実施形態として示す他の光環境制御システムにおいて、（ａ）は電子機器の移動前における制御状態を示し、（ｂ）は電子機器の移動後における制御状態を示す。
【発明を実施するための形態】
【００２１】
以下、本発明の実施の形態について図面を参照して説明する。
【００２２】
本発明の実施形態として示す光環境制御システムは、例えば図１に示すような所定の空間１００に照明器具１、複数の電子機器２、３（以下、総称する場合には単に「電子機器」と呼ぶ。）が存在する状況において、空間１００内における光を制御する。この空間１００内に含まれる光としては、照明器具１が発する照明光Ｌ、電子機器２が発する画面光、電子機器３が発する画面光が含まれる。
【００２３】
図１に示した光環境制御システムの例では、電子機器２として携帯端末、電子機器３としてテレビを示している。電子機器２、３は、ユーザＰが観察する発光部２１、３１を有するものであればよい。この発光部２１、３１は、例えば画像を表示する画面である。本実施形態においては、ユーザＰが電子機器２としての携帯端末の画面である発光部２１を観察している場合について説明する。
【００２４】
また、光環境制御システムは、照明器具１として天井に設けたシーリングライトを示している。照明器具１は、シーリングライトに限らず、所定の空間１００内に存在するものであればよい。
【００２５】
光環境制御システムにおける照明器具１、電子機器２、及び、電子機器３は、例えば図２に示すような機能的な構成を有する。本実施形態において、電子機器２及び電子機器３は、それぞれ同じ機能を有するものとする。
【００２６】
照明器具１は、照明部１１、照明制御部１２、電子機器検出部１３、機器設定部１４、及び、信号送受信部１５を含む。また、照明器具１は、照明制御部１２、電子機器検出部１３、機器設定部１４を実現するための構成として、コンピュータを備えていてもよい。このコンピュータは、照明器具１における記憶部１ａに記憶したプログラムを実行して、後述するような処理を行う。
【００２７】
照明部１１は、照明器具１の光源である。照明部１１は、蛍光灯であってもよく、ＬＥＤ等であってもよい。照明部１１は、照明制御部１２から供給された制御信号に応じて調光を行う。
【００２８】
照明制御部１２は、照明部１１に制御信号を供給して調光を制御する。照明制御部１２は、図示しない操作スイッチ、リモートコントローラ等と接続されていてもよい。照明制御部１２は、操作スイッチ、リモートコントローラ等から供給された照明制御情報に基づいて照明部１１に制御信号を供給する。この照明制御情報としては、０％〜１００％の値をとる調光値が挙げられる。また、照明制御情報としては、オンオフ情報、色温度であってもよい。
【００２９】
電子機器検出部１３は、空間１００内にユーザＰの観察対象である電子機器が存在するか否かを検出する（機器検出手段）。この電子機器検出部１３は、例えば熱センサ、カメラ、発光器及びこれに対応した受信器、などにより構成される。電子機器検出部１３は、ユーザＰの有無、及び、電子機器の有無を検出する。
【００３０】
電子機器検出部１３は、検出されたユーザＰが観察している電子機器を検出する。例えば電子機器検出部１３は、ユーザＰと、発光している電子機器との距離が近い場合には、当該発光している電子機器を観察していると検出する。また、電子機器検出部１３は、ユーザＰの手元付近に発光している電子機器がなく、数メートル離れた電子機器が発光している場合には、発光している電子機器を観察していると検出する。さらに、電子機器検出部１３は、ユーザＰの顔の向きと電子機器の発光部分との関係から、ユーザＰが観察している電子機器を検出してもよい。
【００３１】
図１に示した状況において、ユーザＰは携帯端末としての電子機器２を保持して、電子機器２の画面である発光部２１を観察している。この状況は、電子機器検出部１３によって検出される。また、ユーザＰが観察していない電子機器３は、空間１００内に存在しているがユーザＰが観察している電子機器としては検出されない。
【００３２】
機器設定部１４は、電子機器検出部１３により電子機器が存在することが検出された場合に、検出された電子機器と照明器具１との従属関係を設定する（従属設定手段）。この従属関係は、照明器具１に従って電子機器を制御するという関係（親子関係）である。図１に示した状況において、照明器具１が親機（主）となり、電子機器２が子機（従）となる。電子機器３は、発光しているもののユーザＰが観察していない。したがって、電子機器３は子機には設定されない。
【００３３】
信号送受信部１５は、電子機器との間で信号の授受を行う。信号送受信部１５は、有線ケーブルを介して電子機器と通信を行ってもよく、無線電波によって電子機器と通信を行ってもよい。これにより信号送受信部１５は、機器設定部１４によって子機に設定された電子機器２に照明制御情報を送信する。
【００３４】
電子機器２、３は、発光部２１、３１、信号送受信部２２、３２、及び、発光制御部２３、３３を有する。電子機器２、３は、発光制御部２３、３３を実現するための構成として、コンピュータを備えていてもよい。このコンピュータは、電子機器２、３における記憶部２ａ、３ａに記憶したプログラムを実行して、後述するような処理を行う。
【００３５】
発光部２１は、電子機器に内蔵された光源を含む。本実施形態において、電子機器２の発光部２１は、携帯端末における表示画面である。また、電子機器３の発光部３１は、テレビ画面である。発光部２１、３１は発光制御部２３、３３の制御信号によって明るさを調整する。なお、発光部２１、３１は、明るさのみならず、照明器具１の色温度に応じて色温度等を変更できるものであってもよい。
【００３６】
信号送受信部２２、３２は、照明器具１から送信された照明制御情報を受信する。受信した照明制御情報は発光制御部２３に供給される。
【００３７】
信号送受信部２２、３２は、自己が照明器具１に対する子機であるか否かの情報を受信してもよい。自己が照明器具１の子機である場合、信号送受信部２２、３２は、照明器具１から受信した照明制御情報を発光制御部２３に供給する。自己が照明器具１の子機ではない場合、信号送受信部２２、３２は、照明器具１から受信した照明制御情報を破棄する。
【００３８】
発光制御部２３、３３は、信号送受信部２２、３２により受信した照明制御情報に基づいて発光部２１、３１の発光状態を制御する。例えば照明制御情報が照明器具１の調光値（調光命令）である場合には、当該調光値に対応した明るさとなるように発光部２１、３１の明るさを調整する。
【００３９】
発光制御部２３、３３は、照明器具１の調光値に対する発光部２１、３１の明るさを表すテーブルデータを保持していてもよい。このテーブルデータは、照明器具１が調整可能な調光値に対して空間１００における発光部２１、３１の望ましい明るさ（発光値）［％］が予め登録されている。これにより発光制御部２３、３３は、照明制御情報としての調光値を取得した場合にはテーブルデータに記憶された明るさとなるように発光部２１、３１を制御することができる。
【００４０】
なお、電子機器は、照明器具１に従属する機器検出部を備えていてもよい。電子機器における機器検出部は、電子機器検出部１３と同様に、カメラによってユーザＰが自己の発光部２１を観察していることを検出してもよい。電子機器は発光部２１が観察されていることを検出した場合、自己を照明器具１の子機として設定する。これにより電子機器は、照明器具１から送信された照明制御情報を受信し、発光部２１を制御できる。
【００４１】
上述したように構成された光環境制御システムは、例えば図３に示すように動作する。
【００４２】
先ずステップＳ１においては、照明器具１における照明制御部１２により、照明制御情報が発生したか否かを判定する。照明制御情報が発生した場合にはステップＳ２に処理を進める。
【００４３】
ステップＳ２においては、照明制御部１２により、照明制御情報に従って照明部１１を制御する。
【００４４】
ステップＳ３においては、電子機器検出部１３により、ユーザＰの観察対象としての電子機器が空間１００内に存在しているか否かを判定する。ユーザＰの観察対象としての電子機器が存在していない場合、他の電子機器による発光状態は現状に維持される（ステップＳ４）。
【００４５】
ユーザＰの観察対象としての電子機器２が存在する場合、ステップＳ５に処理を進める。ステップＳ５において、機器設定部１４により、照明器具１を親機、電子機器２を子機に設定し、これによって従属関係を設定する。
【００４６】
次のステップＳ６において、信号送受信部１５により、照明制御情報を電子機器２に送信する。
【００４７】
次のステップＳ７において、信号送受信部２２は照明器具１から送信された照明制御情報を受信する。そして発光制御部２３は照明制御情報に従って発光部２１の発光状態を制御する。
【００４８】
このような光環境制御システムによれば、照明制御情報が発生した場合に、電子機器２に照明制御情報を送信する。これに応じ、電子機器２は照明制御情報に従って発光部２１を制御する。これにより、光環境制御システムによれば、ユーザＰの周囲の明るさが照明器具１の動作によって変化した場合であっても電子機器２の画面を見ているユーザに与える違和感を抑制できる。
【００４９】
例えば、図４（ａ）に示すように、空間１００における照明器具１の調光値が１００％であるとする。このとき、ユーザＰの観察対象としている電子機器は電子機器２であり、電子機器２が子機として設定されている。
【００５０】
この図４（ａ）の状態において、照明器具１の調光値を７０％に変更する照明制御情報が発生したとする。この場合、図４（ｂ）に示すように、照明器具１は、照明部１１の調光値が７０％であることを表す照明制御情報を電子機器２に送信する。これにより、光環境制御システムは、照明器具１の調光値を７０％に変更したことに応じて電子機器２の明るさ（発光値）を低くするよう制御できる。
【００５１】
したがって、この光環境制御システムによれば、照明部１１の制御によって周囲の明るさが変化した場合であっても画面を見ているユーザに与える違和感を抑制できる。例えば電子機器２に照度センサを備え、照度センサの検出値に応じて発光部２１の発光状態を制御するよりも、短時間で発光部２１の発光状態を制御できる。これにより、照明部１１に合わせて電子機器２の発光部２１における明るさを調整した際にユーザＰに与える違和感を抑制できる。
【００５２】
例えば図５に示すように、照明器具１に対して照明制御情報に含まれる調光命令が発生したことに応じ（ステップＳ１１）、照明器具１は調光値を電子機器２に送信する。その後、照明器具１は照明部１１によって調光制御を行う（ステップＳ１２）。略同時に、電子機器２は、発光部２１によって発光制御を行う。これにより、光環境制御システムによれば、調光制御に合わせて、発光制御を行うことができる。
【００５３】
更に具体的には、光環境制御システムは、図６又は図７に示すように照明器具１における照明部１１を制御してもよい。
【００５４】
図６に示す制御例は、照明部１１の調光値を緩やかに変更する。図６（ａ）に示すように、時刻ｔ１で調光値を７０％に変更する照明制御情報が発生して照明制御部１２によって取得されたとする。図６（ｂ）に示すように、照明制御部１２は、時刻ｔ１以降から調光値を制御する。このとき、照明制御部１２は、時刻ｔ１から時刻ｔ２に亘って緩やかな勾配で調光値を変更する。
【００５５】
調光値を変更する照明制御情報は、時刻ｔ１後に照明器具１から電子機器２に供給される。電子機器２は、図６（ｃ）に示すように、照明制御情報を受信した後の時刻ｔ２に、調光値が７０％であることに対応させて、発光部２１の発光値を低くして明るさを７０％に変更する。
【００５６】
このような光環境制御システムによれば、照明制御情報に応じて照明部１１の調光値に勾配を持たせて変化させる。これにより、光環境制御システムによれば、急激に照明部１１の明るさを変更させた場合に発光部２１の明るさが追従できないことによってユーザＰに与える違和感を抑制できる。
【００５７】
更に他の具体的な制御例としては、図７に示すように、照明部１１の照明制御タイミングと発光部２１の発光制御タイミングとを略同時にしてもよい。
【００５８】
図７（ａ）に示すように、時刻ｔ１で調光値を７０％に変更する照明制御情報が発生して照明制御部１２によって取得されたとする。図７（ｂ）に示すように、照明制御部１２は、時刻ｔ２まで調光値の制御を待機する。
【００５９】
調光値を変更する照明制御情報は、時刻ｔ１後に照明器具１から電子機器２に供給される。電子機器２は、図７（ｃ）に示すように、照明制御情報を受信した後の時刻ｔ２に、調光値が７０％であることに対応させて、発光部２１の発光値を低くする。
【００６０】
上述した光環境制御システムは、所定の空間(100)内に存在する照明器具(1)と、少なくとも発光部(21)を有する電子機器(2)とを備える。この光環境制御システムは、機器検出手段(13)と、従属設定手段(14)と、制御手段(23)とを有する。機器検出手段は空間内にユーザの観察対象である電子機器が存在するか否かを検出する。従属設定手段は、機器検出手段により電子機器が存在することが検出された場合に、照明器具に従って電子機器を制御する従属関係を設定する。制御手段は、従属設定手段により従属関係が設定された場合に、照明器具を制御する照明制御情報を従属関係が設定された電子機器に送信し、照明制御情報に基づいて電子機器における発光部の発光を制御する。
【００６１】
この実施形態における光環境制御用のプログラムは、コンピュータを、所定の空間(100)内にユーザの観察対象であり、少なくとも発光部(21)を有する電子機器(2)が存在するか否かを検出する機器検出手段(13)、機器検出手段により電子機器が存在することが検出された場合に、所定の空間内に存在する照明器具に従って電子機器を制御する従属関係を設定する従属設定手段(14)、従属設定手段により従属関係が設定された場合に、照明器具を制御する照明制御情報を従属関係が設定された電子機器に送信し、照明制御情報に基づいて電子機器における発光部の発光を制御する制御手段(23)、として機能させる。
【００６２】
このような光環境制御システムによれば、照明部１１の調光制御タイミングを、発光部２１の発光制御タイミングに合わせる。これにより、先に照明部１１の明るさが調整され、その後に、電子機器２の明るさが調整されるという、時間差を短縮できる。これにより、光環境制御システムによれば、照明部１１及び発光部２１の明るさを変更させることによってユーザＰに与える違和感を抑制できる。
【００６３】
つぎに、上述した光環境制御システムの実施形態として、図８に示すように、照明器具１に照明制御情報を提供する情報提供部（照明制御情報提供手段）１０を有するものについて説明する。
【００６４】
この情報提供部１０は、例えば、照明器具用のリモコン、空間１００といった部屋の壁に埋め込まれたＨＥＭＳコントローラによって構成される。このＨＥＭＳコントローラは、例えば電力制御機能を有している。例えば電力に制限が与えられた場合、照明器具１の照明制御情報を調整して、照明器具１の消費電力を抑制するよう制御することもできる。情報提供部１０は、有線又は無線ネットワークによって照明器具１と通信する。
【００６５】
情報提供部１０は、信号送受信部１０１、調光制御部１０２、操作部１０３を含む。また、情報提供部１０は、調光制御部１０２を実現するための構成として、コンピュータを備えていてもよい。このコンピュータは、情報提供部１０における記憶部１０１ａに記憶したプログラムを実行して、照明器具１を制御する。
【００６６】
操作部１０３は、壁から露出したタッチパネル、操作ボタンやダイヤル等により構成される。操作部１０３は、照明器具１の明るさ等の調整時に操作される。この操作部１０３によって為された操作は調光制御部１０２によって読み取られる。
【００６７】
調光制御部１０２は、操作部１０３に対して為された操作を読み取る。調光制御部１０２は、読み取った操作に基づいて照明器具１の調光値を表す照明制御情報を生成する。この照明制御情報は信号送受信部１０１によって情報提供部１０から送信される。
【００６８】
この照明制御情報は、電子機器２の親機としての照明器具１によって受信される。照明器具１は、照明制御情報を受信したことに応じて、当該照明制御情報を電子機器２に送信する。
【００６９】
照明器具１から送信された照明制御情報は子機としての電子機器２によって受信される。これにより、電子機器２は、情報提供部１０から照明器具１を経由して送信された照明制御情報に基づいて発光部２１の発光を制御する。
【００７０】
例えば、図９（ａ）に示すように、情報提供部１０から照明器具１に照明制御情報が送信された状態において照明器具１の調光値が１００％であるとする。このとき、ユーザＰの観察対象としている電子機器は電子機器２であり、電子機器２が子機として設定されている。
【００７１】
この図９（ａ）の状態において、情報提供部１０において照明器具１の調光値を７０％に変更する照明制御情報が発生したとする。この場合、図９（ｂ）に示すように、情報提供部１０は照明器具１に調光値が７０％であることを表す照明制御情報を照明器具１に送信する。照明器具１は、調光値を７０％にする照明制御情報を電子機器２に送信する。これにより、光環境制御システムは、照明器具１の調光値を７０％に制御し、さらに、電子機器２の発光値を低くするよう制御できる。
【００７２】
例えば図１０に示すように、情報提供部１０において照明制御情報が発生したことに応じ、情報提供部１０は照明器具１に調光値を送信する。その後、照明器具１は電子機器２に照明制御情報を送信する。その後、照明器具１は照明部１１によって調光制御を行う（ステップＳ１２）。略同時に、電子機器２は、発光部２１によって発光制御を行う（ステップＳ２１）。これにより、光環境制御システムによれば、調光制御に合わせて、発光制御を行うことができる。
【００７３】
更に具体的には、光環境制御システムは、図１１に示すように照明器具１における照明部１１を制御してもよい。
【００７４】
図１１に示す制御例は、照明部１１の調光値を緩やか又は段階的に変更する。図１１（ａ）に示すように、時刻ｔ１で調光値を７０％に変更する照明制御情報が発生し、情報提供部１０から照明器具１に送信されたとする。これにより、図１１（ｂ）に示すように照明制御部１２には照明制御情報に含まれる調光命令が与えられる。図１１（ｃ）に示すように、照明部１１は、照明制御情報に含まれる調光命令に従って時刻ｔ１以降から調光値を制御する。このとき、照明制御部１２は、図１１の曲線ｂのように時刻ｔ１から時刻ｔ２に亘って緩やかな勾配で調光値を変更する。
【００７５】
調光値を変更する照明制御情報は、時刻ｔ１後に照明器具１から電子機器２に供給される。電子機器２は、図１１（ｄ）に示すように、照明制御情報を受信した後の時刻ｔ２に、調光値が７０％であることに対応させて、発光部２１の発光値を７０％に変更する。
【００７６】
他の具体的な制御例としては、図１１（ｃ）のａに示すように、照明部１１の照明制御タイミングと発光部２１の発光制御タイミングとを略同時にしてもよい。
【００７７】
このような光環境制御システムは、情報提供部１０から照明器具１に照明制御情報を送信し、照明器具１から電子機器２に照明制御情報を送信する。これにより光環境制御システムによれば、照明部１１の調光に合わせて発光部２１の発光を制御できる。この光環境制御システムによれば、情報提供部１０が操作されてユーザＰの周囲の明るさが変化した場合であっても電子機器２の画面を見ているユーザに与える違和感を抑制できる。
【００７８】
上述した光環境制御システムにおいて、図１２に示すように、所定の空間Ａ、Ｂのように複数存在し、空間Ａ、Ｂ間の移動に合わせて電子機器２を発光制御してもよい。この実施形態において、空間Ａには照明器具１Ａ、電子機器３Ａが存在し、空間Ｂには照明器具１Ｂ、電子機器３Ｂが存在している。
【００７９】
ユーザＰが電子機器２を保持して任意の空間Ａに存在する場合、照明器具１Ａは、電子機器検出部１３によって電子機器２を検出して、機器設定部１４によって電子機器２を子機に設定している。これにより、照明器具１Ａの調光値が１００％であるため、電子機器２の発光部２１は、調光値に応じた発光値に制御されている。
【００８０】
その後、ユーザＰが電子機器２を保持して空間Ａから空間Ｂに移動したとする。このとき、照明器具１Ｂの電子機器検出部１３は電子機器２を検出し、機器設定部１４は、移動した電子機器２との従属関係を設定して、電子機器２を子機として設定する。これにより照明器具１Ｂは、調光値が７０％の照明制御情報を電子機器２に送信する。
【００８１】
空間Ｂに移動した電子機器２は照明器具１Ｂから送信された照明制御情報を受信する。これにより、電子機器２は、調光値が７０％であることに応じて、発光部２１の発光値を低くする。
【００８２】
この光環境制御システムによれば、電子機器２の移動先の空間Ｂの照明器具１Ｂの照明制御情報を、ユーザＰが観察している電子機器２に瞬時に共有できる。これにより、光環境制御システムは、照明器具１Ａから照明器具１Ｂへの明るさ低下に連動して、電子機器２の発光部２１の発光値を制御することができる。したがって、ユーザＰが空間Ａから空間Ｂに移動する際に生じる急激な明るさ変化があっても、電子機器２の発光部２１の発光変化による違和感を抑制でき、快適な光環境を提供できる。
【００８３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００８４】
１  照明器具
２、３  電子機器
１０  情報提供部（照明制御情報提供手段）
１３  電子機器検出部
１４  機器設定部
２１、３１  発光部
２３、３３  発光制御部
１００  空間
【図１】
2015198077.tif 000003
【図２】
2015198077.tif 000004
【図３】
2015198077.tif 000005
【図４】
2015198077.tif 000006
【図５】
2015198077.tif 000007
【図６】
2015198077.tif 000008
【図７】
2015198077.tif 000009
【図８】
2015198077.tif 000010
【図９】
2015198077.tif 000011
【図１０】
2015198077.tif 000012
【図１１】
2015198077.tif 000013
【図１２】
2015198077.tif 000014